(57)【特許請求の範囲】
【請求項１】
スクリーン（２２）の下端に取り付けられると共に、昇降コード（１６）の端部が取り付けられて、昇降コードをスクリーンに連結する昇降コード連結具において、
昇降コード連結具（１０）は、連結具本体（１２）と、昇降コードの端部に設けられるとともに、昇降コードの径よりも大きな径を有するクリップ（１４）と、からなり、
連結具本体は、連結具本体内部にあってクリップを収容するための収容部（１２ｂ）と、収容部にクリップを出し入れ可能な開口部（１２ｃ）と、開口部から上下方向に伸び、クリップは挿通不能であるが昇降コードは挿通可能とされるスリット（１２ｄ）と、収容部に対して弾性変位可能な弾性部（１２ｅ）と、を備え、
クリップは弾性部の弾性力に抗して収容部内に挿入可能とされ、クリップが完全に収容部内に収容されると、弾性部はクリップを押圧可能であることを特徴とする昇降コード連結具。
【請求項２】
前記弾性部は、クリップが完全に収容部内に収容されると、クリップを押し上げてクリップの収容部内における下方への移動を規制することを特徴とする請求項１記載の昇降コード連結具。
【請求項３】
前記弾性部は、連結具本体に形成された弾性片であることを特徴とする請求項１または２記載の昇降コード連結具。
【請求項４】
前記連結具本体は、スクリーンの下端付近に連結可能なフック部（１２ｇ）を有し、フック部をスクリーンに連結した状態において、前記開口部（１２ｃ）の開口面はスクリーンと直交する面となるように形成されることを特徴とする請求項１乃至３のいずれか１項に記載の昇降コード連結具。
【発明の詳細な説明】
【技術分野】
【０００１】
本発明は、スクリーンの下端に取り付けられると共に、昇降コードの端部が取り付けられて、昇降コードをスクリーンに連結する昇降コード連結具に関する。
【背景技術】
【０００２】
スクリーンの下端に取り付けられると共に、昇降コードの端部が取り付けられて、昇降コードをスクリーンに連結する昇降コード連結具としては、特許文献１に示されるものが知られている。
【０００３】
特許文献１に示される昇降コード連結具は、連結具本体と、昇降コードの端部が取り付けられる筒状クリップと、からなり、連結具本体は、連結具本体内部にあって筒状クリップを収容するための収容部と、連結具本体側面に形成され、前記収容部に筒状クリップを側方から出入させるために筒状クリップが挿通可能となった開口部と、開口部から上下方向に伸びて筒状クリップが挿通不能で昇降コードが挿通可能となったスリットとを備え、さらに、前記収容部は、昇降コードの張力により前記筒状クリップが引っ張られる方向への該筒状クリップの移動を規制する壁部を備えるようにしたものである。
【０００４】
このように、筒状クリップを側方から連結具本体の収容部に挿入させるようにしたため、筒状クリップが、スクリーンの自重の作用による昇降コードの張力を受けて、収容部内で上下方向のいずれかに押し込まれたとしても、筒状クリップを収容部から簡単に取り出すことができ、従って、簡単に昇降コードのスクリーンへの連結を解除することができる。
【０００５】
また、特許文献１に示される昇降コード連結具では、筒状クリップの端部に先端に向かうに従って外径が細くなる先細り部を形成し、収容部の壁部を該先細り部に対応して、該先細り部を押し付けるテーパー面とすることにより、昇降コードの張力により筒状クリップが収容部内で上下方向に押し込まれて、壁部の方へ移動した場合に、壁部のテーパー面が筒状クリップの先細り部を内径方向に押し付けて、筒状クリップと連結具本体との結合を強固のものとすることができる。
【先行技術文献】
【特許文献】
【０００６】
【特許文献１】特許３６４６０５４号公報
【発明の概要】
【発明が解決しようとする課題】
【０００７】
しかしながら、かかる従来の昇降コード連結具にあっては、筒状クリップは先端部が連結具本体内のテーパー面に押し付けられて強固に締め付けられるものの、固定されているわけではない。このため、スクリーンを勢い良く最下端まで下降させた後や、万一昇降コードに何かが引っ掛かったときなど、昇降コードにテンションが掛らなくなったときや無理に昇降コードが下方に引っ張られた場合に、筒状クリップが収容部内を移動してしまうことがある。これにより、筒状クリップと先細り部との押し付けが解除されるために、昇降コードがスリットを通過すると、筒状クリップが連結具本体から外れてしまう恐れがある。
【０００８】
かかる不具合を回避するためには、昇降コードがスリットを簡単に通過し難くすることが考えられる。つまり、スリットの幅を昇降コードの径よりも極端に小さくすれば、昇降コードがスリットを簡単に通過しないので、意図しない連結解除を防ぐことができる。しかしながら、スリットの幅を極端に小さくすると、昇降コードをスクリーンから外したい場合に、昇降コードがスリットを簡単に通過できないために、筒状クリップを連結具本体から外す作業が難しくなるという問題がある。
【０００９】
本発明はかかる従来の課題に鑑みなされたもので、連結具本体とクリップとの連結・連結解除を簡単に行うことができるとともに、スクリーン昇降時に連結具本体とクリップとの連結が簡単に外れ難い昇降コード連結具を提供することをその目的とする。
【課題を解決するための手段】
【００１０】
前述した目的を達成するために、請求項１記載の発明は、スクリーンの下端に取り付けられると共に、昇降コードの端部が取り付けられて、昇降コードをスクリーンに連結する昇降コード連結具において、
昇降コード連結具は、連結具本体と、昇降コードの端部に設けられるとともに、昇降コードの径よりも大きな径を有するクリップと、からなり、
連結具本体は、連結具本体内部にあってクリップを収容するための収容部と、収容部にクリップを出し入れ可能な開口部と、開口部から上下方向に伸び、クリップは挿通不能であるが昇降コードは挿通可能とされるスリットと、収容部に対して弾性変位可能な弾性部と、を備え、
クリップは弾性部の弾性力に抗して収容部内に挿入可能とされ、クリップが完全に収容部内に収容されると、弾性部はクリップを押圧可能であることを特徴とする。
【００１１】
請求項２記載の発明は、請求項１記載の昇降コード連結具において、前記弾性部は、クリップが完全に収容部内に収容されると、クリップを押し上げてクリップの収容部内における下方への移動を規制することを特徴とする。
【００１２】
請求項３記載の発明は、請求項１または２記載の昇降コード連結具において、前記弾性部は、連結具本体に形成された弾性片であることを特徴とする。
【００１３】
請求項４記載の発明は、請求項１乃至３のいずれか１項に記載の昇降コード連結具において、前記連結具本体は、スクリーンの下端付近に連結可能なフック部を有し、フック部をスクリーンに連結した状態において前記開口部の開口面はスクリーンと直交する面となるように形成されることを特徴とする。
【発明の効果】
【００１４】
本発明によれば、連結具本体に弾性部を設けたため、クリップを連結具本体に収容する際には、クリップで弾性部を変形させながら収容部内にクリップを押し込み、完全にクリップが収容部内に収容されると、弾性部がその弾性力によってクリップを押圧するためにクリップの動きが規制され、収容部内で一定の位置に固定される。このため、昇降コードの状態にかかわらず、クリップと連結具本体との連結状態を安定して維持することができ、スクリーン昇降時に簡単に連結具本体とクリップとの連結が不用意に外れることを防ぐことができる。
【００１５】
また、連結具本体とクリップとの連結を解除するときにも、弾性部の弾性力に抗してクリップを収容部から引き抜けばよいので、作業が簡単である。
【００１６】
昇降コードの径とスリットの幅との関係は、昇降コードが比較的簡単にスリットを通過することができる程度とすることができ、昇降コードの径にかかわらず安定して連結状態を維持することができる。
【００１７】
また、弾性部がその弾性力によりクリップを押し上げて下方への移動を規制することにより、クリップを収容部の上方位置に固定することができて、その位置決めを確実にすることができる。また、連結具本体とクリップとの連結を外すときにも、弾性部の弾性力に抗してクリップを押し下げるだけで連結の解除が可能となるため、作業が簡単である。
【００１８】
弾性部を連結具本体に形成された弾性片で構成することによって、部品点数を増加させることなく、簡単に弾性部を構成することができる。
【００１９】
開口部の開口面をスクリーンと直交する面に形成することにより、万一昇降コードが何かに引っ掛かった場合であっても、昇降コードが引っ張られる方向には開口部が無いため、昇降コード及びクリップが連結具本体から簡単に外れてしまうことを防止することができる。
【図面の簡単な説明】
【００２０】
【図１】本発明の実施形態に係る昇降コード連結具の連結具本体とクリップとを示す図であり、（ａ）は連結具本体とクリップとの連結を解除した状態を示す斜視図であり、（ｂ）は連結具本体とクリップとを連結した状態を示す斜視図である。
【図２】本発明の実施形態に係る昇降コード連結具をローマンシェードに適用した状態を示す正面図である。
【図３】本発明の実施形態に係る昇降コード連結具の連結具本体の、（ａ）は正面図、（ｂ）は背面図である。
【図４】（ａ）ないし（ｆ）は昇降コード連結具の連結具本体とクリップとを連結する手順を説明する断面図である。
【発明を実施するための形態】
【００２１】
以下、図１ないし図４を用いて本発明に係る昇降コード連結具の実施形態を説明する。
【００２２】
本実施形態に係る昇降コード連結具１０は、図２に示すようなローマンシェードに適用可能であり、このローマンシェードは、図示していない窓枠等にブラケット１８によって取付けられるヘッドレール２０と、ヘッドレール２０に上端が連結されるスクリーン２２と、スクリーン２２を昇降可能な昇降コード１６と、を備えている。
【００２３】
昇降コード１６の一端は、ヘッドレール２０においてヘッドレール２０の長手方向に沿ってコードガイド２４を通過し、さらに昇降コード１６の移動を拘束及び拘束解除するストッパ２５を通過して、ヘッドレール２０の一端から垂下してつまみ２６に連結される。
【００２４】
また、昇降コード１６の他端は、ヘッドレール２０からスクリーン２２の裏面に沿って上下方向に垂下している。スクリーン２２の裏面には上下方向に渡って複数のリングテープ２７が設けられ、各リングテープ２７の上下方向に間隔を空けた複数個所にそれぞれリング２８が設けられている。そして、垂下する昇降コード１６の他端は、各リングテープ２７に沿って複数のリング２８を、上部から下部に向かって順次挿通した後、スクリーン２２の下端に設けられたウエイト部３０近傍の最下段にあるリング２８Ａを介して、昇降コード連結具１０によってスクリーン２２に連結される。
【００２５】
以下、昇降コード連結具１０について詳細に説明すると、昇降コード連結具１０は、連結具本体１２とクリップ１４とから構成される。
【００２６】
図３に示すように、連結具本体１２は、ケース１２ａを有し、ケース１２ａの内部にクリップ１４を収容するための収容部１２ｂが形成されている。ケース１２ａの一面側には、収容部１２ｂに連通する開口部１２ｃが形成されており、この開口部１２ｃを通してクリップ１４を収容部１２ｂへと出し入れすることができるようになっている。開口部１２ｃは、下部の方が上部よりもやや開口幅が広くなっており、クリップ１４を下端から挿入するのに好適なようになっている。開口部１２ｃよりも上のケース１２ａの部分には、開口部１２ｃから上下方向に伸びるスリット１２ｄが形成されており、スリット１２ｄの幅はクリップ１４が挿通することができず、昇降コード１６のみが挿通可能な幅となっている。ケース１２ａの前記開口部１２ｃと対向する面側には、弾性部としての弾性片部１２ｅが形成される。
【００２７】
弾性片部１２ｅは、ケース１２ａの壁面に形成されたスリットに三方を囲まれて形成されてなり、収容部１２ｂに対して弾性変位可能とし、開口部１２ｃから出入りするクリップ１４に対して弾性揺動可能となっている。弾性片部１２ｅが形成されるケース１２ａの部分は、開口部１２ｃに対向すると共に開口部１２ｃよりもやや下側に位置付けられており、その内面は下方に行くに従ってケースの対向面に接近しており、換言すれば上方に面して傾斜しており、よって、弾性片部１２ｅも上方に面して傾斜している。
【００２８】
連結具本体１２のケース１２ａよりも下方にはフック部１２ｇが形成され、フック部１２ｇの出入口が弾性変形することで、前記最下段にあるリング２８Ａの一部が出入り可能となっている。リング２８Ａがフック部１２ｇの出入口を通過したとき、リング２８Ａがフック部１２ｇの貫通面を貫通することで、リング２８Ａが連結具本体１２に連結される。このフック部１２ｇの貫通面は、開口部１２ｃの開口面と略平行となっており、リング２８Ａがフック部１２ｇを貫通したときに、開口部１２ｃの開口面は、スクリーン２２に対して直交する向きとなる。
【００２９】
次に、図４に示すように、クリップ１４には、上下方向に貫通する貫通孔１４ａが形成されている。この貫通孔１４ａは、上部分が下部分よりも縮径された孔となっており、昇降コード１６の他端に形成される結び目１６ａが貫通孔１４ａ内に挿入されたときに、下部分から上部分には移動できないようになっている。この貫通孔１４ａの孔径の変化に合わせて、クリップ１４の外形もその上部分が、上方に行くに従って外径が漸次小さくなる先細り部１４ｂとなっている。
【００３０】
前記連結具本体１２の収容部１２ｂの中のクリップ１４の上方移動を規制するための上壁部分は、このクリップ１４の先細り部１４ｂに合致して、上方に行くに従って内径が漸次小さくなる形状となったテーパー面１２ｆ（壁部）となっている。
【００３１】
以上のような昇降コード連結具１０の連結具本体１２とクリップ１４とを連結する手順を、図４（ａ）ないし（ｆ）に基づいて説明する。
【００３２】
まず、図４（ａ）に示すように、昇降コード１６の端部をクリップ１４の貫通孔１４ａの上方から通した後、結び目１６ａを作り、この結び目１６ａをクリップ１４の貫通孔１４ａの下部分に収めて、係止させる。この時点では、図１（ａ）に示す、クリップ１４と連結具本体１２との連結が解除された状態にある。
【００３３】
次いで、図４（ｂ）に示すように、クリップ１４の下端を開口部１２ｃから連結具本体１２の収容部１２ｂに挿入する。そして、図４（ｃ）に示すように、クリップ１４を収容部１２ｂ内に更に挿入すると、クリップ１４の下端が弾性片部１２ｅを押圧し、弾性片部１２ｅが外方向に揺動する。図４（ｄ）に示すように、クリップ１４の下端で弾性片部１２ｅを外方向に更に揺動するように押圧し、クリップ１４の上端も収容部１２ｂ内に入るようにクリップ１４の上端に開口部１２ｃを通過させる。すると、図４（ｅ）に示すように、昇降コード１６がスリット１２ｄを通過し、図４（ｆ）に示すように、弾性片部１２ｅはその復元力により元の状態に戻ろうとして、クリップ１４を収容部１２ｂ内で押し上げ、クリップ１４を押圧するために、クリップ１４は収容部１２ｂ内の上方位置で固定される。
【００３４】
こうして、クリップ１４が収容部１２ｂ内に収容されている状態では、クリップ１４は弾性片部１２ｅによって下方への移動が規制され、クリップ１４と連結具本体１２とが図１（ｂ）に示す連結された状態を維持する。
【００３５】
また、クリップ１４が弾性片部１２ｅによって押し上げられるときに、クリック感を発生するために、作業者に、クリップ１４が完全に固定されたことを知らしめることができる。
【００３６】
このように、クリップ１４は、弾性片部１２ｅによって収容部１２ｂ内で固定されるために、スクリーン２２昇降時に連結具本体１２とクリップ１４との連結が簡単に不用意に解除されることを防ぐことができる。
【００３７】
また、クリップ１４は収容部１２ｂ内で常に同じ位置に固定されるため、連結作業を繰り返したとしても、各昇降コード１６とスクリーン２２との相対位置が再現性よく決められて、スクリーン２２の下限位置が不揃いになることを防ぐことができる。
【００３８】
図１（ｂ）に示すように、連結具本体１２は、そのフック部１２ｇを最下段のリング２８Ａに引っ掛けることにより係止されている。この状態で、連結具本体１２の開口部１２ｃの開口面は、スクリーン２２に対して直交するように且つフック部１２ｇの貫通面と平行になっている。このため、万一昇降コード１６が何かに引っ掛かって連結具本体１２がリング２８Ａに対して前後方向に揺動したとしても、その揺動方向は、スクリーン２２に対して直交するために、開口部１２ｃの開口面とは平行になり、よってクリップ１４がスリット１２ｄを挿通して開口部１２ｃへと脱出しにくい構成となっている。
【００３９】
次に、連結具本体１２とクリップ１４との連結を解除する場合、昇降コード１６をスリット１２ｄに沿って連結具本体１２の下方に引っ張ることにより、弾性片部１２ｅの弾性力に抗してクリップ１４が押し下げられ、さらに昇降コード１６を外向きに引っ張ることで、クリップ１４が連結具本体１２の開口部１２ｃから脱出することができる。
【００４０】
このように、連結具本体１２とクリップ１４との連結を外すときにも、弾性片部１２ｅの弾性力に抗してクリップ１４を押し下げるだけで連結の解除が可能となるため、作業が簡単となる。
【００４１】
クリップ１４が上述のように安定的に固定され、連結が不用意に解除されることが防止されるので、スリット１２ｄは、スリット１２ｄと昇降コード１６との間の摩擦力に抗して軽い力でまたは摩擦力なしで昇降コード１６が通過できる幅とすればよく、昇降コード１６の径にかかわらず安定して連結状態を維持できる。従って、昇降コード１６の径に対してスリット１２ｄの幅を極端に小さくする必要はないので、クリップ１４を連結具本体１２に連結するとき、または連結を解除するときに、昇降コード１６をスリット１２ｄに挿通する作業が簡単になる。
【００４２】
弾性部としては、弾性片部１２ｅをケース１２ａに形成する代わりに、任意の別の部材を設けることもでき、ケース１２ａとは別部品で構成することも可能である。また、弾性部の位置も開口部１２ｃの対向する面側に限らず、クリップ１４を押圧することができる任意の位置とすることができる。また、弾性部によって、クリップ１４は収容部１２ｂ内の任意の位置に固定させることができる。
【符号の説明】
【００４３】
１０  昇降コード連結具
１２  連結具本体
１２ｂ  収容部
１２ｃ  開口部
１２ｄ  スリット
１２ｅ  弾性片部（弾性部）
１２ｇ  フック部
１４  クリップ
１６  昇降コード
【図１】
0005493128.tif 000002
【図２】
0005493128.tif 000003
【図３】
0005493128.tif 000004
【図４】
0005493128.tif 000005